(57)【要約】【課題】ビームフォーミングの方法、システムおよび装置。【解決手段】複数のビーム・グループを決定するために、ユーザ・デバイスにおいて、１つ以上の測定を実行するステップであって、各ビーム・グループはユーザ・デバイスの少なくとも１つの受信ビーム方向、および、アクセス・ポイントの少なくとも１つの送信ビーム方向に結び付いているものである、ステップと、前記ビーム・グループに関する情報を前記アクセス・ポイントに送信させるステップとを含む方法。【選択図】図６
2019516329.tif 000002
【特許請求の範囲】
【請求項１】
複数のビーム・グループを決定するために、ユーザ・デバイスにおいて、１つ以上の測定を実行するステップであって、各ビーム・グループはユーザ・デバイスの少なくとも１つの受信ビーム方向、および、アクセス・ポイントの少なくとも１つの送信ビーム方向に結び付いている、ステップと、
前記ビーム・グループに関する情報を前記アクセス・ポイントに送信させるステップと、を含む方法。
【請求項２】
前記グループのうちのどれが優先的に使用されるのかを示す選好情報を、前記アクセス・ポイントに提供させるステップを含む、請求項１に記載の方法。
【請求項３】
前記ユーザ機器は、一度に、ｐ−ｎグループを用いて受信すべきものであり、ここで、ｐは、グループの数であり、ｎはｐより小さいものであり、前記グループのうちのどのｐ−ｎが使用されるべきかを示す情報を前記アクセス・ポイントに提供されるようにさせる、請求項１または２に記載の方法。
【請求項４】
前記グループのうちの全部ではないが、少なくとも１つを用いて、前記アクセス・ポイントから受信するステップと、続いて、前記グループのうちの異なる１つ以上を用いて、前記アクセス・ポイントから受信するステップとを含む、請求項１ないし３のいずれか１項に記載の方法。
【請求項５】
１つ以上のグループが定義された後に、現在のグループに対して、１つ以上のビームが異なるものであるならば、前記アクセス・ポイントに基準信号を送信するように要求する要求を、前記アクセス・ポイントに送信されるようにさせる、請求項１ないし４のいずれか１項に記載の方法。
【請求項６】
前記基準信号は、ビーム特定基準信号である、請求項１ないし５のいずれか１項に記載の方法。
【請求項７】
それぞれのビーム方向のビーム特定基準信号に関して前記測定を実行するステップを含む、請求項１ないし６のいずれか１項に記載の方法。
【請求項８】
前記実行するステップは、ビーム品質測定を実行するステップを含む、請求項１ないし７のいずれか１項に記載の方法。
【請求項９】
１つ以上の送信されたビームから、それぞれのアイデンティティ情報を獲得するステップを含む請求項１ないし８のいずれか１項に記載の方法。
【請求項１０】
前記それぞれのアイデンティティ情報は、それぞれのビーム特定基準信号を含む、請求項９に記載の方法。
【請求項１１】
前記情報は、ビーム品質情報およびビーム・アイデンティティ情報のうちの１つ以上を含む、請求項９または１０に記載の方法。
【請求項１２】
前記少なくとも１つの送信ビームは、複数のスイープ・ブロックにおいて受信される、請求項１ないし１１のいずれか１項に記載の方法。
【請求項１３】
請求項９、１０または１１に追加されたとき、前記アイデンティティ情報はスイープ・ブロック情報を含む、請求項１２に記載の方法。
【請求項１４】
イベントに応じて、前記少なくとも１つのビーム・グループの前記情報を提供されるようにさせるステップを含む、請求項１ないし１３のいずれか１項に記載の方法。
【請求項１５】
前記アクセス・ポイントから要求を受信するステップと、前記要求に応じて、前記情報を前記アクセス・ポイントに送信されるようにさせるステップを含む、請求項１ないし１４のいずれか１項に記載の方法。
【請求項１６】
前記複数のグループの前記情報は、別々に送信される、請求項１ないし１５のいずれか１項に記載の方法。
【請求項１７】
前記複数のグループの前記情報は、一緒に送信される、請求項１ないし１６のいずれか１項に記載の方法。
【請求項１８】
少なくとも１つのグループは、２つ以上の受信ビームを含む、請求項１ないし１７のいずれか１項に記載の方法。
【請求項１９】
少なくとも１つのグループは、２つ以上の送信ビームを含む、請求項１ないし１８のいずれか１項に記載の方法。
【請求項２０】
どの、前記アクセス・ポイントの受信ビーム方向および前記ユーザ・デバイスの送信ビーム方向を使用するかを決定するために、前記複数のビーム・グループを使用するステップを含む、請求項１ないし１９のいずれか１項に記載の方法。
【請求項２１】
ユーザ・デバイスからアクセス・ポイントで、複数のビーム・グループに関する情報を受信するステップであって、各ビーム・グループは前記ユーザ・デバイスの少なくとも１つの受信ビーム方向、前記アクセス・ポイントの少なくとも１つの送信ビーム方向に結び付いているものである、ステップと、
前記ユーザ・デバイスに送信するのに、どの送信ビームが使用されるべきかを制御するために前記ビーム・グループの情報を使用するステップと
を含む方法。
【請求項２２】
前記グループのうちのどれが優先的に使用されるのかを示す選好情報を含む、請求項２１に記載の方法。
【請求項２３】
１つ以上のビーム方向に対して基準信号送信要求を受信するステップと、
それに応じて、前記１つ以上のビーム方向において前記基準信号の前記送信をさせるステップと
を含む、請求項２１または２２に記載の方法。
【請求項２４】
前記基準信号はビーム特定の基準信号である、請求項２１ないし２３のいずれか１項に記載の方法。
【請求項２５】
一度に、ｐ−ｎグループを用いて前記ユーザ機器に送信するステップを含み、ｐは、グループの数であり、ｎはｐより小さいものであり、前記選好情報は、前記グループのうちのどのｐ−ｎが使用されるべきかを示す、請求項２１または２２に記載の方法。
【請求項２６】
前記グループのうちの１つ以上と結びついた障害状態を判断するステップと、
それに応じて、前記グループのうちの異なる１つ以上を使用するステップ
と、を含む、請求項２５に記載の方法。
【請求項２７】
複数のスイープ・ブロックにおける前記少なくとも１つの送信ビームを前記ユーザ・デバイスに、送信するステップを含む、請求項２１ないし２６のいずれか１項に記載の方法。
【請求項２８】
要求を前記アクセス・ポイントから前記ユーザ・デバイスに送信させ、前記要求に応じて、前記ユーザ・デバイスから前記少なくとも１つのビーム・グループの前記情報を受信ステップを含む、請求項２１ないし２７のいずれか１項に記載の方法。
【請求項２９】
少なくとも１つのグループは、２つ以上の受信ビームを含む、請求項２１ないし２８のいずれか１項に記載の方法。
【請求項３０】
１つ以上のプロセッサで動作するとき、請求項１ないし２９のいずれか１項に記載の方法を実行するコンピュータ実行可能命令を備えるコンピュータ・プログラム。
【請求項３１】
少なくとも１つのプロセッサと、コンピュータ・プログラム・コードを含む少なくとも１つのメモリとを備える装置であって、前記少なくとも１つのメモリと、前記コンピュータ・プログラム・コードとは、前記少なくとも１つのプロセッサで、前記装置に、少なくとも、
複数のビーム・グループを決定するために、ユーザ・デバイスにおいて、１つ以上の測定を実行させ、ここで、各ビーム・グループはユーザ・デバイスの少なくとも１つの受信ビーム方向、および、アクセス・ポイントの少なくとも１つの送信ビーム方向に結び付いているものであり、
前記ビーム・グループに関する情報を前記アクセス・ポイントに送信させる
ように構成される、装置。
【請求項３２】
少なくとも１つのプロセッサと、コンピュータ・プログラム・コードを含む少なくとも１つのメモリとを備える装置であって、前記少なくとも１つのメモリと、前記コンピュータ・プログラム・コードとは、前記少なくとも１つのプロセッサで、前記装置に、少なくとも、
ユーザ・デバイスからアクセス・ポイントで、複数のビーム・グループに関する情報を受信させ、ここで、各ビーム・グループは前記ユーザ・デバイスの少なくとも１つの受信ビーム方向、および、前記アクセス・ポイントの少なくとも１つの送信ビーム方向に結び付いているものであり、
前記ユーザ・デバイスに送信するのに、どの送信ビームが使用されるべきかを制御するために前記ビーム・グループの情報を使用させる
ように構成された装置。
【発明の詳細な説明】
【技術分野】
【０００１】
いくつかの実施形態は、送信および／または受信ビームのビームフォーミングが使用されるシナリオにおける方法、システムおよび装置に関する。
【背景技術】
【０００２】
通信システムは、通信経路に関与する様々なエンティティ間にキャリアを提供することによって、ユーザ端末、基地局／アクセス・ポイント、および／または、他のノードのような２つ以上のエンティティ間の通信セッションを可能にする設備として見ることができる。通信システムは、例えば、通信ネットワークおよび１つ以上の互換性のある通信デバイスによって提供することができる。通信セッションは、例えば、音声、電子メール（ｅメール）、テキストメッセージ、マルチメディアおよび／またはコンテンツデータなどの通信を搬送するためのデータの通信を含むことができる。提供されるサービスの非限定的な例は、双方向またはマルチウェイ・コール、データ通信またはマルチメディアサービス、および、インターネットなどのデータ・ネットワーク・システムへのアクセスを含む。
【０００３】
無線通信システムでは、少なくとも２つのステーション間の通信セッションの少なくとも一部が無線リンクを介して行われる。
【０００４】
ユーザは、適切な通信デバイスまたは端末を用いて通信システムにアクセスすることができる。ユーザの通信デバイスは、しばしば、ユーザ機器（ＵＥ）またはユーザ・デバイスと呼ばれる。通信デバイスには、例えば、通信ネットワークへのアクセスまたは他のユーザとの直接的な通信を可能にするなど、通信を可能にするための適切な信号受信および送信装置が設けられる。通信デバイスは、局またはアクセス・ポイントによって提供されるキャリアにアクセスし、キャリア上で通信を送信および／または受信することができる。
【０００５】
通信システムおよび関連するデバイスは、典型的には、システムに関連する様々なエンティティが何をすることが許可されているか、どのように達成されるべきかを規定した所与の標準または仕様に従って動作する。接続に使用されるべき通信プロトコルおよび／またはパラメータもまた典型的には定義される。通信システムの一例は、ＵＴＲＡＮ（３Ｇ無線）である。容量要求の増大に伴う問題を解決しようとする試みの一例は、ユニバーサル・モバイル通信システム（ＵＭＴＳ）無線アクセス技術のロング・ターム・エボリューション（ＬＴＥ）として知られているアーキテクチャである。別の例である通信システムは、いわゆる５Ｇ無線アクセス技術である。
【０００６】
アクセス・ポイントとユーザ機器との間の通信にビームフォーミングが使用される場合、トレーニング、ビーム追跡、および、ビーム・スイッチングに関連するシステム・オーバヘッドの量は比較的高い可能性がある。
【発明の概要】
【０００７】
第１の態様において、複数のビーム・グループを決定するために、ユーザ・デバイスにおいて、１つ以上の測定を実行するステップであって、各ビーム・グループはユーザ・デバイスの少なくとも１つの受信ビーム方向、および、アクセス・ポイントの少なくとも１つの送信ビーム方向に結び付いているものである、ステップと、前記ビーム・グループに関する情報を前記アクセス・ポイントに送信させるステップとを含む方法を提供している。
【０００８】
いくつかの実施形態によれば、この方法は、前記グループのうちのどれが優先的に使用されるのかを示す選好情報を、前記アクセス・ポイントに提供させるステップを含む。
【０００９】
いくつかの実施形態によれば、前記ユーザ機器は、一度に、ｐ−ｎグループを用いて受信すべきものであり、ここで、ｐは、グループの数であり、ｎはｐより小さいものであり、前記グループのうちのどのｐ−ｎが使用されるべきかを示す情報を前記アクセス・ポイントに提供されるようにさせる。
【００１０】
いくつかの実施形態によれば、前記方法は、前記グループのうちの全部ではないが、少なくとも１つを用いて、前記アクセス・ポイントから受信するステップと、続いて、前記グループのうちの異なる１つ以上を用いて、前記アクセス・ポイントから受信するステップとを含む。
【００１１】
いくつかの実施形態によれば、この方法は、１つ以上のグループが定義された後に、現在のグループに対して、１つ以上のビームが異なるものであるならば、前記アクセス・ポイントに基準信号を送信するように要求する要求を、前記アクセス・ポイントに送信されるようにさせる。
【００１２】
いくつかの実施形態によれば、前記基準信号はビーム特定の基準信号であることができる。
【００１３】
いくつかの実施形態によれば、この方法は、それぞれのビーム方向のビーム特定基準信号に関して前記測定を実行するステップを含む。
【００１４】
いくつかの実施形態によれば、前記実行するステップは、ビーム品質測定を実行するステップを含む。
【００１５】
いくつかの実施形態によれば、この方法は、１つ以上の送信されたビームから、それぞれのアイデンティティ情報を獲得するステップを含む。
【００１６】
いくつかの実施形態によれば、前記それぞれのアイデンティティ情報は、それぞれのビーム特定基準信号を含む。
【００１７】
いくつかの実施形態によれば、前記情報は、ビーム品質情報およびビーム・アイデンティティ情報のうちの１つ以上を含む。
【００１８】
いくつかの実施形態によれば、前記少なくとも１つの送信ビームは、複数のスイープ・ブロックにおいて受信される。
【００１９】
いくつかの実施形態によれば、前記アイデンティティ情報はスイープ・ブロック情報を含む。
【００２０】
いくつかの実施形態によれば、この方法は、イベントに応じて、前記少なくとも１つのビーム・グループの前記情報を提供されるようにさせるステップを含む。
【００２１】
いくつかの実施形態によれば、この方法は、前記アクセス・ポイントから要求を受信するステップと、前記要求に応じて、前記情報を前記アクセス・ポイントに送信されるようにさせるステップとを含む。
【００２２】
いくつかの実施形態によれば、前記複数のグループの前記情報は、別々に送信される。
【００２３】
いくつかの実施形態によれば、前記複数のグループの前記情報は、一緒に送信される。
【００２４】
いくつかの実施形態によれば、少なくとも１つのグループは、２つ以上の受信ビームを含む。
【００２５】
いくつかの実施形態によれば、少なくとも１つのグループは、２つ以上の送信ビームを含む。
【００２６】
いくつかの実施形態によれば、この方法は、どの、前記アクセス・ポイントの受信ビーム方向および前記ユーザ・デバイスの送信ビーム方向を使用するかを決定するために、前記複数のビーム・グループを使用するステップを含む。
【００２７】
第２の態様において、１つ以上のプロセッサ上で動作するとき第１の態様の方法を実行するコンピュータ実行可能命令を含むコンピュータ・プログラムが提供される。
【００２８】
第３の態様において、非一時的コンピュータ読み取り可能記憶媒体に具体化された、プロセスを実行するプロセスを制御するためのプログラム・コードを備えるコンピュータ・プログラムであって、該プロセスは、複数のビーム・グループを決定するために、ユーザ・デバイスにおいて、１つ以上の測定を実行するステップであって、各ビーム・グループはユーザ・デバイスの少なくとも１つの受信ビーム方向、および、アクセス・ポイントの少なくとも１つの送信ビーム方向に結び付いているものである、ステップと、前記ビーム・グループに関する情報を前記アクセス・ポイントに送信させるステップと、を含む、コンピュータ・プログラムが提供される。
【００２９】
第４の態様において、ユーザ・デバイスからアクセス・ポイントで、複数のビーム・グループに関する情報を受信するステップであって、各ビーム・グループは前記ユーザ・デバイスの少なくとも１つの受信ビーム方向、および、前記アクセス・ポイントの少なくとも１つの送信ビーム方向に結び付いているものである、ステップと、前記ユーザ・デバイスに送信するのに、どの送信ビームが使用されるべきかを制御するために前記ビーム・グループの情報を使用するステップとを含む方法が提供される。
【００３０】
いくつかの実施形態において、この方法は、前記グループのうちのどれが優先的に使用されるのかを示す選好情報を含む。
【００３１】
いくつかの実施形態によれば、この方法は、１つ以上のビーム方向に対して基準信号送信要求を受信するステップと、それに応じて、前記１つ以上のビーム方向において前記基準信号の前記送信をさせるステップとを含む。
【００３２】
いくつかの実施形態によれば、前記基準信号はビーム特定の基準信号であることができる。
【００３３】
いくつかの実施形態によれば、この方法は、一度に、ｐ−ｎグループを用いて前記ユーザ機器に送信するステップであって、ｐは、グループの数であり、ｎはｐより小さいものであり、前記選好情報は、前記グループのうちのどのｐ−ｎが使用されるべきかを示す、ステップを含む。
【００３４】
いくつかの実施形態によれば、この方法は、前記グループのうちの１つ以上と結びついた障害状態を判断するステップと、それに応じて、前記グループのうちの異なる１つ以上を使用するステップとを含む。
【００３５】
いくつかの実施形態によれば、この方法は、複数のスイープ・ブロックにおける前記少なくとも１つの送信ビームを前記ユーザ・デバイスに、送信するステップを含む。
【００３６】
いくつかの実施形態によれば、この方法は、要求を前記アクセス・ポイントから前記ユーザ・デバイスに送信させ、前記要求に応じて、前記ユーザ・デバイスから前記少なくとも１つのビーム・グループの前記情報を受信させるステップを含む。
【００３７】
いくつかの実施形態によれば、少なくとも１つのグループは、２つ以上の受信ビームを含む。
【００３８】
いくつかの実施形態によれば、前記少なくとも１つのグループは、２つ以上の送信ビームを含む。
【００３９】
第５の態様において、１つ以上のプロセッサで動作するとき、前記第４の態様の方法を実行するコンピュータ実行可能命令を含むコンピュータ・プログラムが提供される。
【００４０】
第６の態様において、非一時的コンピュータ読み取り可能記憶媒体に具体化された、プロセスを実行するプロセスを制御するためのプログラム・コードを備えるコンピュータ・プログラムであって、該プロセスは、複数のビーム・グループを決定するために、ユーザ・デバイスにおいて、１つ以上の測定を実行するステップであって、各ビーム・グループはユーザ・デバイスの少なくとも１つの受信ビーム方向およびアクセス・ポイントの少なくとも１つの送信ビーム方向に結び付いているものである、ステップと、前記ビーム・グループに関する情報を前記アクセス・ポイントに送信させるステップと、を含む、コンピュータ・プログラムが提供される。
【００４１】
第７の態様において、少なくとも１つのプロセッサと、コンピュータ・プログラム・コードを含む少なくとも１つのメモリとを備える装置が提供される。前記少なくとも１つのメモリと、前記コンピュータ・プログラム・コードとは、前記少なくとも１つのプロセッサで、前記装置に、少なくとも、複数のビーム・グループを決定するために、ユーザ・デバイスにおいて、１つ以上の測定を実行させ、ここで、各ビーム・グループはユーザ・デバイスの少なくとも１つの受信ビーム方向、および、アクセス・ポイントの少なくとも１つの送信ビーム方向に結び付いているものであり、前記ビーム・グループに関する情報を前記アクセス・ポイントに送信させるように構成される。
【００４２】
いくつかの実施形態によれば、この装置は、前記グループのうちのどれが優先的に使用されるのかを示す選好情報を、前記アクセス・ポイントに提供させるように構成される。
【００４３】
いくつかの実施形態によれば、前記装置は、一度に、ｐ−ｎグループを用いて受信するように構成され、ここで、ｐは、グループの数であり、ｎはｐより小さいものであり、前記グループのうちのどのｐ−ｎが使用されるべきかを示す情報を前記アクセス・ポイントに提供されるようにさせる。
【００４４】
いくつかの実施形態において、この装置は、前記グループのうちの全部ではないが、少なくとも１つを用いて、前記アクセス・ポイントから受信し、続いて、前記グループのうちの異なる１つ以上を用いて、前記アクセス・ポイントから受信するように構成される。
【００４５】
いくつかの実施形態において、この装置は、１つ以上のグループが定義された後に、現在のグループに対して、１つ以上のビームが異なるものであるならば、前記アクセス・ポイントに基準信号を送信するように要求する要求を、前記アクセス・ポイントに送信されるようにさせるように構成される。
【００４６】
いくつかの実施形態によれば、この装置は、それぞれのビーム方向のビーム特定基準信号に関して前記測定を実行するように構成される。
【００４７】
いくつかの実施形態によれば、前記実行は、前記装置がビーム品質測定を実行することを含む。
【００４８】
いくつかの実施形態において、前記装置は、１つ以上の送信されたビームから、それぞれのアイデンティティ情報を得るための手段を備える。
【００４９】
いくつかの実施形態において、前記それぞれのアイデンティティ情報は、それぞれのビーム特定基準信号を含む。
【００５０】
いくつかの実施形態において、前記情報は、ビーム品質情報およびビーム識別情報のうちの１つ以上を含む。
【００５１】
いくつかの実施形態において、前記装置は、複数のスイープ・ブロックにおいて前記少なくとも１つの送信ビームを受信するように構成される。
【００５２】
いくつかの実施形態において、前記アイデンティティ情報はスイープ・ブロック情報を含む。
【００５３】
いくつかの実施形態によれば、この装置は、イベントに応答して前記少なくとも１つのビーム・グループに関する前記情報を提供させるように構成される。
【００５４】
いくつかの実施形態において、この装置は、前記アクセス・ポイントから要求を受信し、前記要求に応答して、前記情報を前記アクセス・ポイントに送信させるように構成される。
【００５５】
いくつかの実施形態によれば、前記装置は、前記複数のグループに関する前記情報を別々に送信するように構成される。
【００５６】
いくつかの実施形態によれば、前記装置は、前記複数のグループに関する前記情報を一緒に送信するように構成される。
【００５７】
いくつかの実施形態によれば、少なくとも１つのグループは、２つ以上の受信ビームを含む。
【００５８】
いくつかの実施形態によれば、少なくとも１つのグループは、２つ以上の送信ビームを含む。
【００５９】
いくつかの実施形態によれば、この装置は、どの、前記アクセス・ポイントの受信ビーム方向および前記ユーザ・デバイスの送信ビーム方向を使用するかを決定するために、前記複数のビーム・グループを使用するように構成される。
【００６０】
第８の態様において、少なくとも１つのプロセッサと、コンピュータ・プログラム・コードを含む少なくとも１つのメモリとを備え、前記少なくとも１つのメモリおよび前記コンピュータ・プログラム・コードは、前記少なくとも１つのプロセッサを用いて、前記装置に、少なくとも、ユーザ・デバイスからアクセス・ポイントで、複数のビーム・グループに関する情報を受信させ、ここで、各ビーム・グループは前記ユーザ・デバイスの少なくとも１つの受信ビーム方向および前記アクセス・ポイントの少なくとも１つの送信ビーム方向に結び付いているものであり、前記ユーザ・デバイスに送信するのに、どの送信ビームが使用されるべきかを制御するために前記ビーム・グループの情報を使用させる装置が提供される。
【００６１】
いくつかの実施形態において、この装置は、前記グループのうちのどれが優先的に使用されるのかを示す選好情報を使用するように構成される。
【００６２】
いくつかの実施形態において、この装置は、１つ以上のビーム方向に対して基準信号送信要求を受信し、それに応じて、前記１つ以上のビーム方向において前記基準信号の前記送信をさせるように構成される。
【００６３】
いくつかの実施形態において、この装置は、一度に、ｐ−ｎグループを用いて前記ユーザ機器に送信するように構成される。ここで、ｐは、グループの数であり、ｎはｐより小さいものであり、前記選好情報は、前記グループのうちのどのｐ−ｎが使用されるべきかを示す。
【００６４】
いくつかの実施形態において、この装置は、前記グループのうちの１つ以上と結びついた障害状態を判断し、それに応じて、前記グループのうちの異なる１つ以上を使用するように構成される。
【００６５】
いくつかの実施形態において、この装置は、複数のスイープ・ブロックにおける前記少なくとも１つの送信ビームを前記ユーザ・デバイスに、送信するように構成される。
【００６６】
いくつかの実施形態によれば、この装置は、要求を前記アクセス・ポイントから前記ユーザ・デバイスに送信させ、前記要求に応答して、前記ユーザ・デバイスから前記少なくとも１つのビーム・グループの前記情報を受信するように構成される。
【００６７】
いくつかの実施形態において、少なくとも１つのグループは、２つ以上の受信ビームを含む。
【００６８】
いくつかの実施形態において、前記少なくとも１つのグループは、２つ以上の送信ビームを含む。
【００６９】
第９の態様において、複数のビーム・グループを決定するために、ユーザ・デバイスにおいて、１つ以上の測定を実行する手段と、ここで、各ビーム・グループはユーザ・デバイスの少なくとも１つの受信ビーム方向、およびアクセス・ポイントの少なくとも１つの送信ビーム方向に結び付いているものであり、前記ビーム・グループに関する情報を前記アクセス・ポイントに送信させる手段とを備える装置が提供される。
【００７０】
いくつかの実施形態において、この装置は、前記グループのうちのどれが優先的に使用されるのかを示す選好情報を、前記アクセス・ポイントに提供させる手段を備える。
【００７１】
いくつかの実施形態によれば、前記装置は、一度に、ｐ−ｎグループを用いて受信する手段と、ここで、ｐは、グループの数であり、ｎはｐより小さいものであり、前記グループのうちのどのｐ−ｎが使用されるべきかを示す情報を前記アクセス・ポイントに提供されるようにさせる手段とを備える。
【００７２】
いくつかの実施形態において、この装置は、前記グループのうちの全部ではないが、少なくとも１つを用いて、前記アクセス・ポイントから受信し、続いて、前記グループのうちの異なる１つ以上を用いて、前記アクセス・ポイントから受信する手段を備える。
【００７３】
いくつかの実施形態において、この装置は、１つ以上のグループが定義された後に、現在のグループに対して、１つ以上のビームが異なるものであるならば、前記アクセス・ポイントに基準信号を送信するように要求する要求を、前記アクセス・ポイントに送信されるようにさせる手段を備える。
【００７４】
いくつかの実施形態によれば、この装置は、それぞれのビーム方向のビーム特定基準信号に関して前記測定を実行する手段を備える。
【００７５】
いくつかの実施形態において、前記実行は、前記装置がビーム品質測定を実行することを含む。
【００７６】
いくつかの実施形態において、この装置は、１つ以上の送信されたビームから、それぞれのアイデンティティ情報を獲得する手段を備える。
【００７７】
いくつかの実施形態において、前記それぞれのアイデンティティ情報は、それぞれのビーム特定基準信号を含む。
【００７８】
いくつかの実施形態において、前記情報は、ビーム品質情報およびビーム識別情報のうちの１つ以上を含む。
【００７９】
いくつかの実施形態において、前記装置は、複数のスイープ・ブロックにおいて前記少なくとも１つの送信ビームを受信する手段を備える。
【００８０】
いくつかの実施形態において、前記アイデンティティ情報はスイープ・ブロック情報を含む。
【００８１】
いくつかの実施形態において、この装置は、イベントに応答して前記少なくとも１つのビーム・グループの前記情報を提供されるようにさせる手段を備える。
【００８２】
いくつかの実施形態において、この装置は、前記アクセス・ポイントから要求を受信し、前記要求に応じて、前記情報を前記アクセス・ポイントに送信されるようにさせる手段を備える。
【００８３】
いくつかの実施形態において、前記装置は、前記複数のグループに関する前記情報を別々に送信する手段を備える。
【００８４】
いくつかの実施形態において、前記装置は、前記複数のグループに関する前記情報を一緒に送信する手段を含む。
【００８５】
いくつかの実施形態において、少なくとも１つのグループは、２つ以上の受信ビームを含む。
【００８６】
いくつかの実施形態において、少なくとも１つのグループは、２つ以上の送信ビームを含む。
【００８７】
いくつかの実施形態によれば、この装置は、前記複数のビーム・グループを使用して、前記アクセス・ポイントのどの受信ビーム方向かを判定し、前記ユーザ・デバイスのビーム方向を送信する手段を備える。
【００８８】
第１０の態様において、アクセス・ポイントにおいて、ユーザ・デバイスから、複数のビーム・グループについて情報を受信する手段であって、各ビーム・グループは前記ユーザ・デバイスの少なくとも１つの受信ビーム方向および前記アクセス・ポイントの少なくとも１つの送信ビーム方向に結び付いているものである、手段と、前記ユーザ・デバイスに送信するのに、どの送信ビームが使用されるべきかを制御するために前記ビーム・グループの情報を使用する手段とを備える装置が提供される。
【００８９】
いくつかの実施形態によれば、この装置は、前記グループのうちのどれが優先的に使用されるのかを示す選好情報を使用する手段を含む。
【００９０】
いくつかの実施形態によれば、この装置は、１つ以上のビーム方向に対して基準信号送信要求を受信し、それに応じて、前記１つ以上のビーム方向において前記基準信号の前記送信をさせる手段を備える。
【００９１】
いくつかの実施形態によれば、この装置は、一度に、ｐ−ｎグループを用いて前記ユーザ機器に送信する手段を備え、ここで、ｐは、グループの数であり、ｎはｐより小さいものであり、前記選好情報は、前記グループのうちのどのｐ−ｎが使用されるべきかを示す。
【００９２】
いくつかの実施形態によれば、この装置は、前記グループのうちの１つ以上と結びついた障害状態を判断し、それに応じて、前記グループのうちの異なる１つ以上を使用する手段を備える。
【００９３】
いくつかの実施形態によれば、この装置は、複数のスイープ・ブロックにおける前記少なくとも１つの送信ビームを前記ユーザ・デバイスに、送信する手段を備える。
【００９４】
いくつかの実施形態によれば、この装置は、要求を前記アクセス・ポイントから前記ユーザ・デバイスに送信させ、前記要求に応答して、前記ユーザ・デバイスから前記少なくとも１つのビーム・グループの前記情報を受信させる手段を備える。
【００９５】
いくつかの実施形態において、少なくとも１つのグループは、２つ以上の受信ビームを含む。
【００９６】
いくつかの実施形態において、前記少なくとも１つのグループは、２つ以上の送信ビームを含む。
【図面の簡単な説明】
【００９７】
実施形態を、添付の図面を参照して、単なる例として、以下に説明する。
【図１】図１は、いくつかの実施形態による制御装置の概略図を示す。
【図２】図２は、可能な通信デバイスの概略図を示す。
【図３】図３は、スイープ・サブフレームの概略図である。
【図４】図４は、基地局および３つのユーザ機器デバイスの概略図を示す。
【図５】図５は、ネットワークおよびユーザ・デバイスのビームフォーミングの概略図を示す。
【図６】図６は、２つの送信点の配備シナリオにおけるネットワーク・ビームフォーミングの概略図を示す。
【図７】図７は、フレーム構造の概要を示す概略図である。
【図８】図８は、同一位置に配置されていないアンテナに対するビーム・グループ化およびフィードバックの概略図を示す。
【図９】図９は、同一位置に配置されたアンテナに対するビーム・グループ化およびフィードバックの概略図を示す。
【図１０】図１０は、いくつかの実施形態による例示的な方法のフローチャートを示す。
【発明を実施するための形態】
【００９８】
以下では、いくつかの例示的な実施形態が、無線セルラシステムを介して通信することができるモバイル通信デバイス、および、そのようなモバイル通信デバイスにサービスを提供するモバイル通信システムを参照して説明される。例示的な実施形態を詳細に説明する前に、無線通信システムのある一般的な原理、そのアクセスシステム、および、モバイル通信デバイスを、記載された例の基礎となる技術の理解を助けるために、図１、図２を参照して簡単に説明する。
【００９９】
通信デバイス１０または端末に、無線アクセスシステムのアクセス・ポイントを提供する、基地局または同様の無線送信機および／または受信機ノードを介して無線アクセスを提供することができる。
【０１００】
各アクセス・ポイントは、所与の時間に通信デバイス１０の方向に向けられた少なくとも１つのアンテナ・ビームを提供することができる。いくつかの実施形態では、複数のビームを通信デバイスに向けることができる。このアンテナ・ビームは、アクセス・ポイントのアンテナ・アレイの適切な要素によって提供することができる。例えば、アクセス・ポイント（ＡＰ）とユーザ機器（ＵＥ）との間のアクセスリンクは、アクティブ・アンテナ・アレイによって提供することができる。そのようなアレイは、狭い送信／受信ビームを、動的に、形成、方向づけし、したがって、ＵＥにサービスし、それらの位置を追跡することができる。これは、ユーザ機器に固有のビームフォーミングとして知られている。アクティブ・アンテナ・アレイは、ビームフォーミングの可能性をさらに高めるために、アクセス・ポイントおよびユーザ機器の両方で使用することができる。各アクセス・ポイントおよび／またはアンテナ・アレイによって、複数のビームを提供することができる。
【０１０１】
アクセス・ポイント、したがって、そこを通る通信は、その動作、および、それと通信しているモバイル通信デバイスの管理を可能にするために、典型的には、少なくとも１つの適切なコントローラ装置によって制御される。図１は、例えば、アクセス・ポイントのいずれかと統合され、結合され、および／または、他の方法でアクセス・ポイントを制御するノードのための制御装置の一例を示す。制御装置３０は、アクセス・ポイントによるアンテナ・ビームを介して通信の、および、アクセス・ポイント間のハンドオーバなどのオペレーションの制御を提供するように構成することができる。この目的のために、制御装置は、少なくとも１つのメモリ３１と、少なくとも１つのデータ処理ユニット３２、３３と、入力／出力インタフェース３４とを備える。インタフェースを介して、この制御装置は、アクセス・ポイントの関連する他のコンポーネントに結合することができる。制御装置は、適切なソフトウェアコードを実行して制御機能を提供するように構成することができる。  ネットワーク・システムの他の場所、例えば、コアネットワーク・エンティティに設けられた制御装置に同様のコンポーネントを設けることができることが理解される。  この制御装置は、他の制御エンティティと相互接続することができる。  この制御装置および機能は、いくつかの制御ユニットの間に分散さすることができる。いくつかの実施形態では、各基地局は、制御装置を備えることができる。代替の実施形態では、２つ以上の基地局が１つの制御装置を共有してもよい。
【０１０２】
アクセス・ポイントおよび関連コントローラは、固定回線接続および／または無線インタフェースを介して互いに通信することができる。基地局ノード間の論理接続は、  例えば、Ｘ２インタフェースによって提供することができる。このインタフェースは、例えば、ステーションの動作の調整のために使用することができる。
【０１０３】
通信デバイスまたはユーザ機器（ＵＥ）１０は、少なくともデータの無線通信を受信することができる任意の適切なデバイスを備えることができる。例えば、この装置は、無線受信機、データ処理およびユーザ・インタフェース装置を備えたハンドヘルド・データ処理装置であることができる。非限定的な例には、携帯電話などのモバイル局（ＭＳ）、または、「スマート・フォン」として知られているもの、無線インタフェースカードまたは他の無線インタフェース機能を備えたラップトップまたはタブレット・コンピュータなどのポータブルコンピュータ、パーソナル無線通信能力を備えたデータアシスタント（ＰＤＡ）、またはこれらの組み合わせなどが含まれる。さらなる例には、腕時計またはスマートウォッチ、眼鏡、ヘルメット、帽子、衣服、無線接続を備えたイヤ・ピース、ジュエリーなどと一体化したウェアラブル無線装置、無線機能を備えたユニバーサルシリアルバス（ＵＳＢ）スティック、モデムデータカード、機械タイプの装置、または、これらの組み合わせなどが含まれる。
【０１０４】
図２は、可能な通信デバイスの概略的な部分断面図を示す。より詳細には、ハンドヘルドまたはその他のモバイル通信デバイス（またはユーザ機器ＵＥ）１０が示されている。モバイル通信デバイスは、無線通信能力と、その動作を可能にする適切な電子制御装置とを備えている。したがって、モバイル装置１０は、少なくとも１つのデータ処理エンティティ２６、例えば中央処理装置および／またはコアプロセッサ、少なくとも１つのメモリ２８および実行されるように設計されたタスクのソフトウェアおよびハードウェア支援実行において使用可能な追加のプロセッサ２５およびメモリ２９などの他の可能なコンポーネントを備えることが示されている。データ処理、記憶装置および他の関連する制御装置は、適切な回路基板２７および／またはチップセットに設けることができる。モバイルデバイスの制御装置によって提供されるデータ処理機能およびメモリ機能は、本願明細書で後述するように、本発明の特定の実施形態による制御およびシグナリング動作をさせるように構成される。ユーザは、タッチセンシティブ表示画面またはパッド２４および／またはキーパッド、１つ以上のアクチュエータボタン２２、音声コマンド、これらの組み合わせなどのような適切なユーザ・インタフェースによって、モバイルデバイスの動作を制御することができる。スピーカとマイクロホンも典型的には設けられている。さらに、モバイル通信デバイスは、他の装置への、および／または例えば、ハンズフリー装置などの外部アクセサリを接続するための適切なコネクタ（有線または無線のいずれか）を備えることができる。
【０１０５】
モバイルデバイスは、信号を受信し送信するための適切な装置を介して無線通信することができる。図２は、装置の制御装置に接続された無線ブロック２３を概略的に示す。無線ブロックは、無線部および関連するアンテナ装置を備えることができる。アンテナ装置は、モバイル装置の内部または外部に配置することができる。アンテナ装置は、ビームフォーミング動作が可能な要素を備えることができる。
【０１０６】
いくつかの実施形態は、ビームフォーミング技術を用いたモバイル通信ネットワークに関する。例えば、５Ｇ無線アクセス技術およびＬＴＥ−Ａ（Ｌｏｎｇ  Ｔｅｒｍ  Ｅｖｏｌｕｔｉｏｎ−Ａｄｖａｎｃｅｄ）は、ビームフォーミング技術の使用を提案している。ビームフォーミングを使用する任意の他の通信システムと共に他の実施形態を使用することができることが理解されるべきである。
【０１０７】
例えば、いくつかの無線エリアネットワークは、ビームフォーミングを使用することができる。
【０１０８】
５Ｇ無線システムは、４００ＭＨｚから１００ＧＨｚの周波数を使用することができる。  ビームフォーミングは、カバレッジ問題のために高周波数帯域の使用を可能にする上で望ましいと考えられている。
【０１０９】
いくつかのトランシーバ（例えば、ハイブリッド・トランシーバ・アーキテクチャ）は、アナログ・ビームフォーミングを使用することができる。これはアンテナポートの数に依存するので、限られた数のコンカレント・ビームを意味するデジタル・ビームフォーミング・トランシーバ・アーキテクチャ、または、デジタル・ベースバンド処理（例えば、ＭＩＭＯ多重入力多重出力、および／またはデジタルプリコーディング）およびアナログ・ビームフォーミングのハイブリッドを使用する、いわゆるハイブリッドトランシーバアーキテクチャと共に、他の実施形態を使用することができることが理解されるべきである。実施形態は、ビームフォーミングの任意の方法で使用できることが理解されるべきである。
【０１１０】
図３を参照すると、スイープ・サブフレームで構成されたアクセス・ポイントが示されている。アクセス・ポイントは、ビームを時間的に変化させ、第１の時点では、それは、１ａで表示され、第２の時点では、１ａ’で、第３の時点では、１ａ’’で表示されることが示される。アクセス・ポイントは、基地局であってもよい。５Ｇのようないくつかの規格では、アクセス・ポイントはＢＳ（基地局）と呼ばれることがある。アクセス・ポイントは、全体的に符号３で示されるセル・カバレージ・エリアを有する。セル・カバレッジ・エリアは、アクセスノードによって定義されるビームによってカバーされる。図３に示す例では、アクセス・ポイントに対して６本のビームが示されている。これらは、ビーム１、１’、１’’、ビーム２、２’、２’’、ビーム３、３’、３’’、ビーム４、４’、４’’、ビーム５、５’、５’’、ビーム６、６’、６’’である。各時間インスタンスでは、アクセス・ポイントにスイープ・ブロック（ＳＢ）内に２つのアクティブビームがある。連続スイープ・ブロックが基地局によって送信され、各スイープ・ブロックは他のスイープ・ブロックと比較して異なるビームから構成される。ビーム１およびビーム２は、スイープ・ブロック１の第１の時点でアクティブであり、ビーム３’およびビーム４’は、第２のスイープ・ブロック２に対してアクティブであり、ビーム５’’およびビーム６’’は、第３のスイープ・ブロックＮに対してアクティブである。スイープ・ブロックの間、一部のビームのみがアクティブであり、残りのビームは非アクティブである。異なる実施形態では、６つより多い、または少ないビームを提供することができることが理解されるべきである。
【０１１１】
上記の例では、３つのスイープ・ブロックがある。しかしながら、他の実施形態では、すべてのビームをスイープするのに必要なスイープ・ブロックの数は、３つより多くても少なくてもよい。スイープ・ブロック内のビームの数は２より多くても少なくてもよい。いくつかの実施形態では、提供されるアクティブビームおよび非アクティブビームの数は、時間とともに変化することができる。アクティブビームの数はアクセス・ポイントの間で異なることができる。
【０１１２】
システムアクセスを可能にするために、１つ以上のビームがセルの特定の領域をカバーする方向ごとに、システム情報の定期的な送信が要求されることができる。システムアクセスのためのリソースを提供するために、対応する方向をカバーする必要がある。アクセス・ポイントが、ある時間間隔（１つのシンボル持続時間または２つのシンボル持続時間など）の間にビームの集合を有する特定の領域をカバーする場合、それはスイープ・ブロックと呼ばれる。図３はスイープ・ブロックの概念を示している。スイープ・ブロックＳＢ＃２の場合、ビーム３’と４’がアクティブであり、スイープ・ブロックＳＢ＃Ｎの場合、ビーム５’’と６’’とがアクティブである。図３は、スイープ・ブロック中に隣接するビームがアクティブであることを示しているが、所与のスイープ・ブロックに対して、異なるビームセットを選択できることを理解すべきである。アクティブビームは図３ではＡで示され、非アクティブビームはＩで参照される。
【０１１３】
図３はさらに、スイープ・サブフレームＳＳＦを示す。スイープ・サブフレームは、ビームフォーミングの共通制御チャネルシグナリングのカバレッジを提供することができる。スイープ・サブフレームは、スイープ・ブロックＳＢからなる。
【０１１４】
必要なセル面積をカバーするために必要なビームの総数は、アクセス・ポイントが形成できる同時アクティブビームの数よりも多い場合がある。したがって、アクセス・ポイントは、各スイープ・ブロックで異なるビームセットをアクティブにすることによって、時間領域のセル・カバレッジ・エリアをスイープする必要がある。スイープ・ブロックあたりのアクティブビームの数とセル領域をカバーするために必要なビームの総数とに応じて、２つ以上のスイープ・ブロックが必要になる場合がある。さらに、サブフレーム当たりのスイープ・ブロックの数は、各スイープの長さによって制限される。一例として、１つのスイープ・ブロック持続時間は、１つまたは２つのシンボル（例えば、ＯＦＤＭ（直交周波数分割多重）シンボル）であることができ、サブフレームごとに１４個のシンボルが存在する場合、スイープ・サブフレームは７または１４スイープ・ブロックであることができる。セルを覆うのに必要なスイープ・ブロックの数に依存して、複数のスイープ・サブフレームが必要とされることがある。しかしながら、これは単なる例示であり、異なる実施形態において異なる構成を使用することができる。
【０１１５】
図３に示されるアクティブビームは、情報を送信または受信するために使用され得る。したがって、スイープ・サブフレームは、アクティブビームが情報を送信しているときのダウンリンクスイープ・サブフレームとして、または、アクティブビームが情報を受信しているときのアップリンク・スイープ・サブフレームとして定義することができる。さらに、ＴＤＤ（時分割複信）システムおよび下りリンクと上りリンクチャネルとの相互関係を仮定すると、上りリンクのセル領域と下りリンクの方向を、スイープ・ブロックごとに同じビーム構成でカバーするために、同じスイープ・ブロックを上りリンクおよびダウンリンク方向で定義する必要がある。
【０１１６】
ダウンリンク方向の例として、スイープ・サブフレームによってダウンリンク共通制御チャネルカバレッジが提供される場合、各スイープ・ブロックは、１つ以上のダウンリンク同期信号などのセル・アクセス情報、ＭＩＢ（マスター情報ブロック）、ＳＩＢ（システム情報ブロック）などのシステム情報、その他を搬送することができる・代替的にまたは追加的に、含まれることができる他の例または情報は、ＰＲＡＣＨ／ＲＡＣＨ（物理ランダムアクセスチャネルおよびランダムアクセスチャネル構成）、ページング、および、セル内でブロードキャストされる必要がある任意の制御情報の１つ以上を含む。アップリンク方向では、スイープ・サブフレーム／サブフレームは、ランダムアクセスチャネル、または、ＳＲ（スケジューリング要求）のような周期的アベイラビリティを必要とする他のアップリンクチャネルのためのリソースを収容することができる。
【０１１７】
ビームの非限定的な定義は、ビーム特有の基準信号（ＢＲＳ）の検出である。一例では、ビーム固有の基準信号Ｓは、少なくとも１つ、典型的には複数のアンテナ素子にマッピングされるアンテナポートにマッピングされる。アンテナ素子に通じる信号は、特定の放射パターンを形成するために（アーキテクチャに応じて、アナログまたはデジタル重み付けであってもよいが）個々に重み付けされる。
【０１１８】
異なるビーム特有の基準信号の検出によって識別される複数のアンテナポートを定義することができる（したがって、複数の放射パターンが形成され得る）。これらの放射パターンは、同じ形状であり得るが、異なる方向を指すことができる。
【０１１９】
単一ビーム固有の基準信号は、同じアンテナ素子にマッピングされてもよいし、マッピングされなくてもよい２つ以上のアンテナポートにマッピングされることができる。いくつかの実施形態では、アンテナ素子を異なるポートに動的にマッピングすることができる。１つの例は、アンテナ素子固有の重みが等しい２つのアンテナポートを使用してビーム特定の基準信号を送信することであるが、第１のアンテナポートは、水平偏波（Ｈ偏波）であるエレメントにマップされ、第２のアンテナポートは、垂直偏波（Ｖ偏波）であるエレメントにマップされるしたがって、第１および第２のポートの要素の放射パターンは同じであるが、同じビーム固有の基準信号が両方のポートを介して送信され、単一のビームとして観察される。いくつかの実施形態では、アンテナ・エレメント固有の重み付けが等しくない（異なる放射パターンである）２つ以上のポートでビーム固有の基準信号を送信することができる。
【０１２０】
セルのカバレージが複数のビームによって提供されるビームフォーミングシステムでは、例えば、ビームレベル検出／分離を実行し、ビーム特有の基準信号に関する測定を実行することを可能にするユーザ固有の基準信号を使用することにより、単一のビームを識別することが有益であり得る。測定値は、ＲＳＲＰ  （Ｒｅｆｅｒｅｎｃｅ  Ｓｉｇｎａｌ  Ｒｅｃｅｉｖｅｄ  Ｐｏｗｅｒ），ＲＳＳＩ（ｒｅｃｅｉｖｅｄ  ｓｉｇｎａｌ  ｓｔｒｅｎｇｔｈ  ｉｎｄｉｃａｔｏｒ）、ＣＱＩ（ｃｈａｎｎｅｌ  ｑｕａｌｉｔｙ  ｉｎｄｉｃａｔｏｒ、チャネル品質インジケータ）、その他のうちのの１つ以上などのインジケータを決定することができる。しかし、これらに限られるものではない。異なるビームを識別することは有益であり得る。例えば、ユーザ機器が初期アクセス中に好適な通信ビームをネットワーク・アクセス・ポイントに示す、または測定がネットワーク・アクセス・ポイントに報告されるときに、測定値を共通参照インデックスにマッピングするなどである。
【０１２１】
ビームを識別するために、次のマッピングを行うことができる。例えば、スイープ・ブロックごとに８つの異なるビーム基準信号が送信される場合、受信機は可能性として、８つの異なる信号指数（ビームまたはビーム指数）を測定することができる。  ８つの異なるＢＲＳ信号は、８つのアンテナポートに対応する。  同じビーム固有の基準信号アンテナポートを次のスイープ・ブロックで再使用することができるので、ビーム・インデックスを決定できるようにスイープ・ブロックＩＤを決定する必要がある。したがって、ビーム指数は、ビーム・インデックス＝ＢＲＳアンテナポート＊スイープ・ブロックインデックス、である。
【０１２２】
スイープ・ブロック（スイープ・シンボルまたは複数のシンボル）が、ＭＩＢ、ＳＩＢ、ＤＬ  ＣＴＲＬ（ダウンリンク制御）、ＤＬ  ＤＡＴＡ（ダウンリンクデータ）などの１つ以上の情報も搬送する場合には、スイープ・ブロックインデックスは、明示的にシグナリングされることができる。代替的または追加的に、スイープ・ブロックは、ブロックを識別するための特定のシーケンス番号を含むことができる。
【０１２３】
セルラネットワークにおいて十分なカバレッジ及び容量を達成するために、例えば、２８ＧＨｚまたは同様の周波数の高い搬送波周波数において、無線チャネルの伝搬／経路損失は、ビームフォーミングの形において、例えば、大規模アンテナ・アレイを介して指向性送信および受信を導入することによって補償することができる。この結果、アクセス・ポイント（例えば、６４個のアンテナ素子での１８ｄＢ）およびユーザ機器（例えば、８個のアンテナ素子での９ｄＢ）の両方において、比較的大きなアンテナ・アレイ利得が例えば、雨や酸素の吸収による伝搬損失および／または損失を補償するために、達成され得る。もちろん、異なる実施形態が、異なる周波数で動作することができる。
【０１２４】
ユーザ機器とネットワーク（アクセス・ポイント）ビームフォーミングの両方を使用できることを示す図４を参照する。図４は、アクセス・ポイント４０、および、３つのユーザ機器ＵＥ１、ＵＥ２、ＵＥ３を示す。アクセス・ポイントビーム４１−４７およびＵＥ１、ＵＥ２およびＵＥ３のユーザ機器ビーム５０ー５６もまた概略的に図示されている。各ユーザ機器は、例として、異なる受信ビーム解像度Ｒｘを有するように示されている。
【０１２５】
上述したように、アクセス・ポイントカバレッジは、セル領域の一部をカバーするビームのセットを形成することによって提供され、したがって、ユーザ機器、異なるビームの放射パターンが典型的に重なり合って厚いカバレッジを提供するので、複数のビームを検出することができる（図４は簡略図を示す）。
【０１２６】
ユーザ機器の通信ビーム方向に応じて、異なるビームまたはビームのセットを検出することができる。これに加えて、無指向性ビームの場合についても議論すべきである。狭いビームはより高いアンテナ利得（主ローブを指すためにそれに応じて重み付けされた複数の要素を使用することによって得られる）を示すので、無指向性ビームはすべての方向に対して等しいアンテナ利得を有する。したがって、ユーザ機器は、すべての方向（干渉も含む）からの信号を検出することができるが、アンテナ利得は低い。
【０１２７】
ＵＥ１は、４つの受信ビーム５０−５４で動作し、図４のマッチング・シェーディングによって示されるように、受信ビーム５２とアクセス・ポイント送信ビーム４３とをマッチングさせる。
【０１２８】
ＵＥ２は、最良のダウンリンクビームがアクセス・ポイントビーム４４である無指向性ユーザ機器である。
【０１２９】
ＵＥ３は、２つの受信ビーム５５、５６のみを動作させ、ビーム５６をアクセス・ポイントビーム４５とマッチングさせる。
【０１３０】
ユーザ機器が、例えば、（ユーザ機器ビームフォーミングを使用して）アクセス・ポイント通信ビームを検出するためのビーム固有の基準信号測定を実行する場合、最良の通信ビーム／方向を決定するため、すなわち、どの受信ビームが最高品質の測定値または同様のパラメータを提供するかを決定するために、その受信ビームを複数の方向にステアリング／形成する必要があり得る。最高の品質を、信号レベル、ある閾値を上回る検出されたビームの数等によって決定することができる。ビームカバレッジエリアが重なり合うと、ユーザ機器は、それ自身の受信ビーム方向ごとに、および／または、無線環境（オブジェクト／表面からの反射）によって、複数のアクセス・ポイントビームを検出することができる。
【０１３１】
これに加えて、ユーザ機器は、受信ビームを異なる方向に向けることによって異なるアクセス・ポイント通信ビームを検出することができる。これを図５に示す。
【０１３２】
ユーザ機器６０は、その受信ビーム７０を異なる方向に向けることができ、あるいは、代替的に、異なる方向をカバーするために複数の同時ビームを形成することができる（非限定的な例として、図５は２つの受信ビームを示す）。受信機ビームは、アクセス・ポイントから直接送信された信号を受信し、および／または、オブジェクト７６に反射する。グレーの線のビーム７２は、ユーザ機器がビームフォーミングによってカバーすることができる可能性がある方向を示す。アクセス・ポイント６１およびアクセス・ポイントビーム７３は類似の方法で示されている。グレーの線のビーム７４は、非アクティブなビーム方向である。
【０１３３】
図６を参照すると、２つ以上の伝送ポイント（ＴＰ１およびＴＰ２）を使用してセルが展開される例が示されている。ネットワークおよびユーザ機器の観点から、その動作は、異なる送信点が単一のセルとして活動している場合の動作に類似しているが、異なる物理的位置に可能性として送信点を配置することによって、より広い領域がカバーされる。送信点はダウンリンクビーム６２を提供し、ＵＥは受信ビーム６３を有する。
【０１３４】
フェイズド・アンテナ・アレイ技術のような大規模アンテナ・アレイの完全なメリットを利用するには、送信機と受信機の指向性を、送信シナリオと、送信機と受信機との間の無線リンクにおける可能性のある変化に従って動的に調整する必要がある。実際には、特に、複数のアクセス・ポイントおよびユーザを有するセルラネットワークにおいて、これは、ビームフォーミング器トレーニング、ビーム追跡、およびユーザ機器におけるビーム切り替え、および、アクセス・ポイントとユーザ機器との間の関連する信号要求（例えば、ビーム固有の基準信号測定値を提供する、または、ＣＳＩ（チャネル状態情報）を搬送するビーム報告）に関する。
【０１３５】
ネットワークの観点から、ユーザ機器が提供する情報（検出されたビーム）が多くなるほど柔軟性が増す。ネットワークは、限られた数の通信ビームを同時に形成し（典型的には例えば２、４、８）、それらのビーム上のユーザ機器とのみ通信することができる。これは、周波数／時間リソースの非効率的な使用につながる可能性がある。  これは、ビーム方向ごとにより多くのユーザ機器を提供できる場合、スケジューラは、スケジューリング決定を実行し、より効率的にリソースを利用する自由度がより高くなるからである。  一例では、ユーザ機器は、別の代替的な検出されたビームを使用して、（ビームアライメントを受信するユーザ機器または選択されたビームに対して無線条件により可能性として低品質であるが、それでも充分である）特定のＴＴＩ（送信時間間隔）の間に、サービスを受けることができた。
【０１３６】
ユーザ機器は、２つ以上のダウンリンク送信ビームを検出することができる。ビームは、異なるＲｘ方向からのものであり得る。ユーザ機器は、検出されたビームを報告することができる。ユーザ機器の受信機と送信機との両方のビーム、および、アクセス・ポイントのビームは、送信または受信の際に、整列させる必要がある。しかしながら、特に、受信機ビームアラインメントの問題のためにユーザ機器に到達する方法に関して失敗する場合、不確実性が存在する可能性がある。
【０１３７】
いくつかの実施形態によれば、フィードバックシグナリング方法を、基地局およびユーザ機器デバイスに対する送信機および受信機ビーム管理を可能にするために使用することができる。基地局およびユーザ機器は、ビームフォーミング技術を使用することができる。  基地局および／またはユーザ機器は、アナログ／ハイブリッドアンテナ・アレイアーキテクチャを備えることができる。
【０１３８】
いくつかの実施形態によれば、ユーザ機器は、ビーム特定基準信号（ＢＲＳ）および／または他のダウンリンク基準信号に基づいて、自身の受信ビーム方向ごとにネットワーク（ダウンリンク）通信ビーム間のリンケージを検出するために測定を実行する。
【０１３９】
１つの例示的な実施形態では、本願方法は、送信されたダウンリンクビームに関するユーザ機器の受信機／送信機ビームフォーミングリンクを決定することができる。少なくとも２つの異なる受信ビーム方向がダウンリンク通信ビームとリンクされている場合、受信ビーム方向の組ごとにビーム・グループを形成することができる。このセットは、１つ以上の受信ビーム方向を含むことができる。
【０１４０】
いくつかの実施形態では、リンケージはネットワークに通知されることができる。ネットワークからの要求に応じて、またはイベントトリガに応じて、本願の方法は、ユーザ機器における少なくとも１つのビーム・グループの存在の表示を含むレポートを生成することができる。いくつかの実施形態では、アクセス・ポイントは、第１のグループがいつ定義されるかの情報が提供される。さらなるグループについての情報は、後で提供されることができる。代替的に、２つ以上のグループに関する情報を一緒に提供することができる。いくつかの実施形態では、１つのグループのみが定義されることができ、他の実施形態では、２つ以上のグループが提供される。
【０１４１】
レポートは、測定レポートまたはビーム品質を含むビームレポートであることができる。ビーム品質は、例えば、基準信号受信品質、基準信号受信電力、閾値を超える品質を有するビームの検出されたセットに対するインデックスまたはグループＩＤ、および各グループに関連付けられたＮベスト・ビームの１つ以上の品質であることができる。ただし、これらに限られるものではない。ビームレポートは、ネットワーク・アクセス・ポイントに提供される。
【０１４２】
受信機ビーム方向のセットごとにビーム・グループを維持することは、特定のグループに属するビームを更新することを含むことができる。換言すれば、リンケージは時々更新される必要があり得る。
【０１４３】
いくつかの実施形態はまた、複数のグループからの送信を検出／監視するユーザ機器能力をグループ単位で示すことを含むことができる。ユーザ機器は、複数の受信ビームを同時に受信することができない場合に、好適なビーム・グループを示すことができる。あるいは、好適なビーム・グループは、示された値に基づいてアクセス・ポイントによってユーザ機器のために選択することができる。
【０１４４】
追加的または代替的に、いくつかの実施形態では、ユーザ機器は、グループが「監視」されていることを測定レポートに示すことによって、同時に２つ以上の受信ビーム方向で受信できる能力を示すことができる。
【０１４５】
フィードバック信号伝達スキームは、同一位置に配置されたアンテナ配置および非同一位置に配置されたアンテナ配備のための無線システムにおける効率的な送信機および受信機ビーム管理を可能にする周期的および／または非周期的基準信号に基づくことができる。
【０１４６】
フィードバック信号伝達スキームは、非限定的な例として、ビーム特定の基準信号などの、送信された基準信号からのいくつかのビーム・インデックス・グループ測定値を取り込み、ユーザ機器が、アップリンク制御を介して単一または複数のフィードバック・レポートを送信することを可能にする。非限定的な例として、これは、ＭＡＣ（媒体アクセス制御）またはＲＲＣ（無線リソース制御）シグナリングのようなＬ１またはＬ２／Ｌ３フィードバックを含むことができる。
【０１４７】
ユーザ機器は、基準信号からＰ個の異なるビーム・インデックス・グループ測定を実行することができる。基準信号は、ビーム測定／ＣＳＩ計算／復調に関連する動作のようなユーザ平面及び／又は制御プレーン動作のために使用することができる。
【０１４８】
ビーム・インデックス・グループ測定は、一例として、各ビームについてのビーム固有の基準信号測定値を含むことができる。
【０１４９】
パラメータＰは、ユーザ機器の装置固有のパラメータであり得る。このパラメータは、ネットワークによって構成されることができる。これは、上位層シグナリングを用いて行うことができる。代替的に、パラメータは、ユーザ機器において構成されることができる。
【０１５０】
他の実施形態では、パラメータＰは、セルまたはネットワークに固有であることができる。
【０１５１】
Ｐ個の異なるビーム・インデックス・グループ測定の各々は、異なる受信ビーム空間構成に対応することができる。各受信ビーム空間構成は、ユーザ機器における異なる受信アンテナポートおよびビーム構成によって定義することができる。
【０１５２】
基地局またはアクセス・ポイントは、ユーザ機器によって測定され、ユーザ機器によって報告される基準信号に関連するアンテナポートのサブセットをユーザ機器に対して別個に構成することができる。基準信号は、アクセス・ポイントによって送信されたそれぞれのビームに供給される。
【０１５３】
Ｐ個の異なるビーム・インデックス・グループのそれぞれについて、ビーム特定基準信号のような、基準信号アンテナポートに関連するＮ個の最良のダウンリンク送信器論理ビーム・インデックスを、報告することができる。この報告は、アンテナが同一位置に配置されているか同一位置に配置されていないかに依存しない。Ｎ個の最良の論理ダウンリンクビーム・インデックスは、前述のアンテナポート上のＲＳＲＰ／ＲＳＲＱ測定に従って決定されることができる。
【０１５４】
パラメータＮは、デバイス特有のパラメータであり得る。このパラメータは、上位層シグナリングを有するネットワークによって構成されることができる。あるいは、パラメータＰは、ＵＥによって構成されることができる。あるいは、パラメータは、セルまたはネットワークに固有のものであり得る。
【０１５５】
ユーザ機器は、アップリンク制御チャネルを介して周期的／非周期的フィードバック報告を送信することができる。非限定的な例として、チャネルは、物理アップリンク制御チャネル（ＰＵＣＣＨ）であることができる。このチャネルは、提案されている５ＧシステムのｘＰＵＣＣＨを指すことができる。
【０１５６】
フィードバック・レポートは、Ｐ個の異なるビーム・インデックス・グループに関するサブフレームｎの復号時に、サブフレームｎ＋ｋで送信されることができる。フィードバック報告は、代替的にまたは追加的に、各ビーム・インデックス・セットその他に関連するＮベストＴＸビーム・インデックスおよび／または対応する量子化基準信号受信電力レベルを含むことができる。
【０１５７】
ビーム・インデックス・グループ・フィードバックは、すべてのＰ個の異なるビーム・インデックス・グループをカバーする単一のジョイントビーム・インデックス・グループレポートとして、または、Ｐ個の個別ビーム・インデックス・グループレポートとして送信することができる。
【０１５８】
この報告は、アップリンク制御またはデータ・チャネル（例えば、ＭＡＣまたはＲＲＣシグナリングのようなＬ１またはＬ２／Ｌ３フィードバックを使用して）を介してユーザ機器によって送信されることができる。
【０１５９】
ユーザ機器は、データと多重化された非周期フィードバック・レポートを送信することができる。非限定的な例として、これは、Ｐ個の異なるビーム・インデックス・セット、Ｎ個の最良の送信ビーム・インデックス、および、各ビーム・インデックス・グループに関連付けられた量子化基準信号受信電力／基準信号受信信号品質レベルのうちの１つ以上に関する物理アップリンク共有チャネルを介することができる。
【０１６０】
ユーザ機器は、Ｎ個の最良の送信ビーム指数、ならびに、各ビーム・インデックス・セットに関連する対応する量子化されたＲＳＲＰレベルと関連して、Ｐ個の異なるビーム・インデックス・セット上の基地局に、（例えば、ＭＡＣメッセージ内の物理上りリンク共有チャネル（ＰＵＳＣＨ）など）データの一部としての非周期フィードバックを送信することができる。物理アップリンク共有チャネルは、提案された５ＧシステムにおけるｘＰＵＳＣＨを参照することができる。
【０１６１】
基地局またはアクセス・ポイントは、フィードバック報告モードを周期的または非周期的のいずれかに設定する自由を有することができる。あるいは、これは、セルまたはネットワークベース上に設定することができる。いくつかの実施形態では、これは、ＵＥによって制御されることができる。
【０１６２】
いくつかの実施形態では、ＵＥは、１つ以上のビーム・グループがもはや適切ではないと判断することができる。  この決定に応答して、ＵＥはＢＳに、ビーム調整基準信号の送信をＢＳがトリガするための情報をＢＳに送信することができる。
【０１６３】
いくつかの実施形態では、１つ以上のグループが既に定義されている。最新のグループにおいてビームが異なる場合、ＵＥは、ＢＲＲＳ送信をトリガする要求をアクセス・ポイントに送信する。いくつかの実施形態では、以前グループ内にあったビーム・インデックスが現在異なるグループにある場合、これはＲＳをトリガする。
【０１６４】
いくつかの実施形態は、使用されたビームフォーマに従って測定されたビームをグループ化すること、各グループの平均を、１つ以上の以前の計算されたグループに存在するビームと比較すること、前のステップで受信したグループの同じビーム・インデックス部分が、異なる受信グループの一部ではない場合には、基準信号送信要求を送信させることを含むことができる。
【０１６５】
いくつかの実施形態では、ＵＥがグループ・メンテナンス手順を開始するためのトリガ信号を送信するように構成されたグループベースのリソースが存在することができる。この手順では、ＢＳは、それぞれのグループに向けてＲＸビームを試し、訓練することを可能にするために、トリガ信号が関連付けられているグループのビームを用いて、反復的に信号を送信することができる。
【０１６６】
いくつかの実施形態では、ユーザ機器が、複数の受信ビームを同時に受信することができないとき、優先ビーム・グループを示すことができる。代替的に、いくつかの例示的な実施形態では、使用されるグループは、示された値に基づいてネットワークによって選択されることができる。
【０１６７】
一実施形態では、ネットワークは、現在アクティブなビーム・グループにおいて、次のダウンリンク（および／またはアップリンク）割り当てのグループが変更されることを示すことができる。これは、非限定的な例として、アップリンクグラント内のダウンリンク制御情報がスケジューリングされるとき、または、ＭＡＣ  ＣＥによって、または、無線リソース制御（ＲＲＣ）シグナリングを介して、ダウンリンク割当てにおけるダウンリンク制御情報において示され得る。
【０１６８】
いくつかの実施形態では、ネットワークは、変更が行われる時間を指示することもでき、これは、方向を変更するためのユーザ機器の能力を受ける可能性がある。その時間は、サブフレームまたは無線フレームなどで表すことができる。
【０１６９】
付加的または代替的に、いくつかの実施形態では、ユーザ機器は、各グループが測定レポートにおいて「監視」されていることを示すことによって、同時に複数の受信機ビーム方向で受信する能力を示すことができる報告書。
【０１７０】
一実施形態では、ユーザ機器が、同時に受信できるよりも多くのビーム・グループがアクセス・ポイントで構成されている場合、ユーザ機器および／またはネットワークは、所与の時間にアクティブなビーム・グループの数を、ユーザ機器が同時に受信できるビーム・グループの数以下に維持する。
【０１７１】
いくつかの実施形態では、ユーザ機器は、送信機ビーム方向またはグループに対して特定の受信ビーム方向またはビーム・グループを使用する能力を示すことができる。
【０１７２】
いくつかの実施形態では、少なくとも１つのビーム・グループのユーザ機器電力割り当てを示すレポートが、ユーザ機器によって生成されることができる。これは、ネットワークによる要求または構成に基づくイベントトリガのためにおこる可能性がある。
【０１７３】
このレポートは、ビーム・グループごとに生成される電力ヘッドルーム・レポートであり得る。
【０１７４】
このレポートは、ビーム・グループに対して独立または共通のトリガ条件を有するビーム・グループごとの電力ヘッドルームを維持するために使用することができる。
【０１７５】
一度に一つの受信機方向からのみ受信できるが、複数のビーム・グループ／受信機方向で構成されたユーザ機器に対して、他のユーザとのデータ伝送を多重化することによって、時間領域において複数の利用可能な方向を使用できる場合に、スループットを、増加することができる。
【０１７６】
いくつかの実施形態は、同一位置に配置されたアンテナ配備でも、共配置されていないアンテナ配備でも、基地局およびユーザ機器の両方で異なる送受信機ビームの組み合わせの認識を高めることができる。結果として、ビームトレーニング、トラッキングおよびスイッチングなどの効率的なビーム管理が、セルラーネットワークタイプの動作において可能になり得る。
【０１７７】
提案された方法は、専用参照信号の使用を最小化または回避し、そのようなシステムは、オーバーヘッドおよびレイテンシの点でより効率的に動作することが可能である。
【０１７８】
いくつかの実施形態は、基地局が、受信機アンテナポートインデックスを基地局に明示的にシグナリングする必要なしに、異なるユーザ／デバイス特有のトランシーバ−受信機ビームの組み合わせを構成し管理するための透明な方法を容易にすることができる。
【０１７９】
実施形態は、同一位置に配置されたアンテナ配備および／または同一位置に配置されていないアンテナ配備に使用されることができる。
【０１８０】
いくつかの実施形態は、障害回復の問題についても有利であり得る。具体的には、ユーザ機器が少なくとも２つのグループを示す場合、ビーム・グループとユーザ機器の受信機／送信機ビームとの間のリンクが落ちたときに、ネットワークは高速回復を採用することができる。
【０１８１】
ネットワークは、非限定的な例として、アップリンクグラント上の不連続送信またはダウンリンク送信上の紛失フィードバックなどの障害を検出することができる。
【０１８２】
いくつかの実施形態では、ユーザ機器は、複数のビーム・グループを示すことができるが、一度に１つの受信ビームだけを形成することができる。「主」リンクが失敗した場合、ユーザ機器は代替グループに切り替えることができる。ネットワークは、グループに関する情報を有する可能性があり、したがって、リンク回復を試みることができる。
【０１８３】
代替として、ユーザ機器は、ビーム・グループ・ベースごとに電力ヘッドルームに関する情報を有することによって、前記グループから１つ以上のビームを選択することによって、優先グループを示すランダムアクセスチャネル（ＲＡＣＨ）手順を実行してもよく、このネットワークは、例として、ビーム・グループ当たりの適切なアップリンクグラントサイズを決定することができる。
【０１８４】
上述のいくつかの実施形態のネットワークスケジューリングの柔軟性の側面に関して、ネットワークは、ビーム・グループ（ユーザ機器が複数の受信ビームを有する場合）および最良のスケジューリング利得を提供するビームを選択することによってダウンリンク制御送信を実行することができる。後者は、一例として、送信時間間隔（ＴＴＩ）当たりのトランキング効率に関するものである（アクセス・ポイントは限られた数の同時ビームを有することができるので、例えば、ＵＥスループットごとに最大を提供するのではなく、所与のＴＴＩにおけるＵＥの最大数にサービスすることを可能にするようなビームを選択する）。したがって、アクセス・ポイントが、より多くのＵＥに到達するために使用できるビームを選択するにつれて、ＴＴＩごとにより多くのユーザを提供することができる。  制限された数の方向では、ＡＰは、時間−周波数リソースによって制限されない場合があるが、場合によっては、形成できる方向／ビームの数が制限されている。
【０１８５】
ダウンリンク制御は、例えば、物理ダウンリンク共有チャネル（ＰＤＳＣＨ）送信であり、ユーザ機器は、マッピングに基づいて受信ビームを形成することができる。
【０１８６】
図７を参照すると、フレーム構造の概要と、関連するダウンリンクおよびアップリンク信号およびチャネルの位置が示されている。各フレームは、１４個のＯＦＤＭシンボルを持つＤＬスイープ・サブフレーム１１６を有する。ＳＳＳ（セカンダリ同期信号：Ｓｅｃｏｎｄａｒｙ  Ｓｙｎｃｈｒｏｎｉｚａｔｉｏｎ  Ｓｉｇｎａｌ）、ＰＳＳ（プライマリ同期信号：Ｐｒｉｍａｒｙ  Ｓｙｎｃｈｒｏｎｉｚａｔｉｏｎ  Ｓｉｇｎａｌ）、ＥＳＳ（拡張システム選択：Ｅｎｈａｎｃｅｄ  Ｓｙｓｔｅｍ  Ｓｅｌｅｃｔｉｏｎ）ＢＲＳ、ＰＢＣＨ（物理ブロードキャストチャネル：Ｐｈｙｓｉｃａｌ  Ｂｒｏａｄｃａｓｔ  Ｃｈａｎｎｅｌ）が各シンボルに、提供される。ダウンリンク送信ビームＤＬ  ＴＸは、ＲＳ基準信号、例えばＢＲＳ、そこからＰ個の異なるビーム・グループのＲＳＲＰまたは類似の測定値が計算されるアンテナポートに関連付けられる。これに続いて、ＵＬスイープ・サブフレーム１０４が続く。これに続いてＤＬ／ＵＬサブフレーム１２０が続く。これは、ＤＬ  ＣＴＲＬ情報のための第１のフィールド１０６と、ＤＭＲＳ情報のための第２のフィールド１０８と、ＵＬデータ、ＤＬデータ及びＣＳＩ−ＲＳ／ＳＲＳ（音声基準信号）のための１１フィールド１１２とを有する。最後のフィールド１１０はＵＬ  ＣＴＲＬ情報用である。ＲＳＲＰまたは類似の測定値に基づいて、ＵＥは、Ｐ個の異なるグループをカバーする周期的または非周期的な単一ジョイントビーム・グループレポート、または、個別にＰ個の異なるビーム・グループレポートを、ＵＬ制御を介して送信する。フレームは５ｍｓの周期性を有することができる。
【０１８７】
図示されているように、ビーム・グループ測定は、構成された基準信号、例えば、ビーム固有の基準信号に関連するアンテナポートから実行される。この後、モバイルデバイスは、例えば、物理アップリンク制御チャネル（ＰＵＣＣＨ）を介してなど、各グループにおけるＮベスト基準信号受信電力／基準信号受信品質（ＲＳＲＰ／ＲＳＲＱ）レベルに関連して、Ｎ個の最良の論理ビーム・インデックスを有するＰ個の異なるビーム・グループ上で、アップリンク制御を介してフィードバック・レポートを送信する。
【０１８８】
図８を参照すると、ｋ番目のＵＥ装置８０のための同一位置に配置されたアンテナのビーム・グループ化およびフィードバックの例が示されている。
【０１８９】
ｋ番目の装置８０は、３つの受信ビーム、ビームｄ、ビームｇおよびビームｊを有するように示されている。異なる実施形態において、３つより多い、あるいは、少ないビームが提供されることが可能であることが理解される。
【０１９０】
基地局８２は、４つの送信ビーム８４、８５、８６、８７を有するように示されている。異なる実施形態において、４つより多い、あるいは、少ないビームが提供されることが可能であることが理解される。図８はまた、３つの異なるビーム・インデックス・グループ、グループｄ８８、グループｇ８９およびグループｎを示す。図８は３つのグループを示しているが、異なる実施形態では、３つより多い、あるいは、少ないビーム・グループが提供されることが可能であることが理解される。グループｄは、ユーザ機器受信ビームセットｄと基地局ビーム８７とを含む。グループｄは、２つの異なる論理ダウンリンクビーム・インデックスを有する。グループｇは、ユーザ機器受信機ビームセットｄ、ｇおよびｊと、ビーム８６及び８５を含むＮ個の基地局ビームとの組み合わせを含む。Ｎ個のビームの各々は、異なるビーム・インデックスを有する。最後に、ビーム・グループｎは、ユーザ機器受信ビームセットｇとｊとの組合せを含み、ビーム８５および８４を含むｎ個の基地局送信ビームを有する。
【０１９１】
図９を参照すると、ｋ番目の装置８０の非同一位置に配置されたアンテナに対するビーム・グループ化およびフィードバックの例が示されている。ｋ番目の装置８０は、３つの受信ビーム、ビームｄ、ビームｇおよびビームｊを有するように示されている。異なる実施形態において、３つより多い、あるいは、少ないビームが提供されることが可能であることが可能であることが理解される。
【０１９２】
送信点９２は、４つの送信ビーム９６、９７、９８、９９を有するように示されている。異なる実施形態において、４つより多い、あるいは、少ないビームが提供されることが可能であることが理解される。
【０１９３】
第２の送信点９４は、４つの送信ビーム１００、１０１、１０２および１０３を有するように示されている。異なる実施形態では、４つより多いまたは少ないビームが提供されることができることが理解される。いくつかの実施形態では、各ビームは、２つのビーム、例えば、水平偏光および垂直偏光によって提供されることができることが理解される。図９には、２つの送信点のみが示されているが、異なる実施形態では、２つ以上の送信点を提供できることが理解できる。
【０１９４】
図９はまた、４つの異なるビーム・インデックス・グループ、グループｄ１３０、グループｇ１４０、グループｎ１５０およびグループｊ１５２を示す。異なる実施形態では、４つより多いまたは少ないビーム・グループが提供されることができることが理解される。グループｄは、ユーザ機器受信ビームセットｄと基地局ビーム９６とを含む。グループｇは、組み合わせユーザ機器受信ビームセットｄ、ｇおよびｊと、ビーム９７および９８を含むＮ個の基地局ビームとを含む。グループｊは、ユーザ機器受信ビームセットｇ及びｊと、ビーム１００、１０１、１０２および１０３を含むＮ個の基地局ビームとを含む。最後に、ビーム・グループｎは、ユーザ機器受信ビームセットｇおよびｊと、ビーム１０２および１０３を含む基地局Ｎ送信ビームとを含む。Ｎはそれぞれの基で同じでも異なっていてもよい。図１０を参照すると、一実施形態による方法の一例が示されている。
【０１９５】
ステップ１２１において、１つ以上の測定が実行される。これらの測定は、例えば、チャネルパラメータおよび／またはビーム品質パラメータの測定を含むことができる。
【０１９６】
ステップ１２２において、各ビーム・グループは、ユーザ・デバイスの少なくとも１つの受信ビーム方向と、アクセス・ポイントの少なくとも１つの送信ビーム方向とを関連付ける複数のビーム・グループが決定される。いくつかの実施形態では、少なくとも２つの受信ビームが存在し得る。いくつかの実施形態では、ビーム・グループは、複数の送信ビーム方向を含むことができる。いくつかの実施形態では、少なくとも２つのグループを定義することができる。各グループは、少なくとも１つの受信ビームおよび少なくとも１つのＡＰ送信ビームを有することができる。そのグループの異なるものは、異なる数のＤＬビーム、および、他のグループに関する受信ビームを有することができ、例えば、１つ以上のグループは、１つのダウンリンクビームおよび１つの受信ビームを有することができる。１つ以上のグループは、２つのダウンリンクビームと１つの２つの受信ビームとであることができる。  １つ以上のグループは、２つのダウンリンクビームを有することができ、Ｐ個のグループが存在することができる。Ｐは整数である。
【０１９７】
各グループは、Ｘ  ＤＬビームおよびＹビームを受信することができ、ここで、ＸおよびＹは、同じまたは異なる値を有する整数である。
【０１９８】
一実施形態では、Ｐは２以上である。少なくとも１つのグループについて、ＸおよびＹの少なくとも１つは１より大きい。いくつかの実施形態では、少なくとも１つのグループは、１より大きいＸおよびＹを有することが好ましい。
【０１９９】
次に、ステップ１２４において、情報が、グループに関して、前記アクセス・ポイントに送信される。
【０２００】
いくつかの実施形態では、ＵＥは、ＡＰによって送信されるビームをモニタリングする（スイープ技術を使用される）。
【０２０１】
所与の受信ビーム方向に関して、ＵＥは、ＡＰによって送信される任意のＤＬビームを測定する。これは、ＤＬビームの総数のサブセットであり得る。ＵＥは、異なる識別情報から異なるビームを区別することができる．ＵＥは、また、例えば、ＲＳＲＰ等を得るために、所与のＤＬビームの強度も測定する。ＵＥは、また、スイープ技術を使用することもできる。
【０２０２】
ＵＥは、いくつかの実施形態では、単一の受信ビームを所与のビーム方向として使用することができる。他の実施形態では、ＵＥは、アクセス・ポイントからの任意のＤＬ  ＴＸを測定するためにＲＸビームのセットを使用することができる。受信ビーム・グループが形成される方法は、ＵＥ実装特有の問題であり得、例えば、ビーム幅、グループ化メトリックなどの受信器タイプの１つ以上に依存することができる。グループ化メトリックの一例は、ＤＬ  ＴＸビームのセットを受信するためにＲＸアンテナポートのセットにわたってＲＸ電力を集約することであり得る。
【０２０３】
ＵＥは、ＵＥにおけるアンテナポートに関連する受信機ビームの各セットについて、これを行う。
【０２０４】
ＵＥは、Ｎ個の最良ＤＬビームを有し、すべてのビームが同じ受信ビームフォーミング器で処理されたその受信ビームまたは受信ビームセットのグループを定義する。最大Ｐ個までのグループが定義される。
【０２０５】
ＡＰへの報告は、各グループにあるＤＬビームを識別する。
【０２０６】
どのグループが優先されるかについての情報が提供される。
【０２０７】
アクティブなグループの数に関して、情報が提供される。上記の実施形態では、ＡＰはＤＬビームおよびＵＥに受信ビームを提供している。
【０２０８】
代替的または追加的に、ＡＰのＵＬビームおよびＵＥの送信ビームについて同様のグループ分けを定義することができる。ＡＰおよびＵＥは、アップリンク通信に対して、対応するＵＬビームを用いてＤＬグループを使用することができる。あるいは、グループ化は、ＤＬビーム／受信ビーム・グループに基づいて決定することができる、あるいは、別々に決定することもできる。例えば、いくつかの実施形態では、ＡＰは、ＵＥの送信ビームに基づいてグループ化を定義することができる。いくつかの実施形態では、ＡＰはＤＬグループを開始点として取り、どのグループがアップリンクに対してより良いかを決定することができる。
【０２０９】
いくつかの実施形態では、定義されたＡＰ  ＤＬビーム／ＵＥ受信ビーム・グループは、ダウンリンクおよびアップリンクの両方向の通信に使用できることが理解される。１つの例において、１つのビーム・グループは、ダウンリンク通信およびアップリンク通信の両方で使用され得る。別の例では、１つのビーム・グループをダウンリンク通信に使用し、別のグループをアップリンク通信に使用することができる。これらの例は非限定的である。
【０２１０】
いくつかの実施形態では、第１のＡＰ  ＴＸおよびＵＥ  ＲＸグループが定義され、次に、これは他の方法で使用されることができる（ＡＰ  ＲＸおよびＵＥ  ＴＸ）。
【０２１１】
ある実施形態では、この関連付けは、ＵＥは基準を送信し、ＡＰは受信して、グループを形成するように実行されることができ、また、その逆も実行され得ることが理解される。
【０２１２】
必要なデータ処理装置および機能は、１つ以上のデータプロセッサによって提供されることができる。その装置は、通信デバイス内、制御装置内、および／または、アクセス・ポイント内に設けられることができる。上述した各端部の機能は、別々のプロセッサによって、または統合プロセッサによって提供されることができる。データプロセッサは、ローカル技術環境に適した任意のタイプのものであり得、汎用コンピュータ、専用コンピュータ、マイクロプロセッサ、デジタル信号プロセッサ（ＤＳＰ）、特定用途向け集積回路（ＡＳＩＣ）、ゲートレベル回路、および、マルチコアプロセッサアーキテクチャに基づくプロセッサのうちの１つ以上を含むことができる。ただし、これらは、非限定的な例である。データ処理は、いくつかのデータ処理モジュールに分散させることができる。データプロセッサは、例えば、少なくとも１つのチップの手段によって提供されることができる。適切なメモリ容量は、また、関連するデバイスにおいて提供されることができる。メモリは、ローカル技術環境に適した任意のタイプであってもよく、半導体ベースのメモリデバイス、磁気メモリデバイスおよびシステム、光メモリデバイスおよびシステム、固定メモリおよびリムーバブルメモリなどの任意の適切なデータ記憶技術を用いて実装されることができる。
【０２１３】
一般に、様々な実施形態は、ハードウェアまたは専用回路、ソフトウェア、ロジック、または、それらの任意の組み合わせにおいて実施されることができる。本発明のいくつかの態様は、ハードウェアで実施されることができ、一方、他の態様は、コントローラ、マイクロプロセッサ、または他のコンピューティングデバイスによって実行されるファームウェアまたはソフトウェアで実施されることもできる。しかしながら、本願発明は、これらに限られるものではない。本発明の様々な態様は、ブロック図、フローチャート、または他の図表現を使用して図示および説明することができるが、ここに記載されたこれらのブロック、装置、システム、技術または方法は、非限定的な例であるが、ハードウェア、ソフトウェア、ファームウェア、専用回路またはロジック、汎用ハードウェアまたはコントローラまたは他のコンピューティングデバイス、あるいは、それらのいくつかの組み合わせにおいて実施することができることがよく理解される。ソフトウェアは、メモリチップ、プロセッサ内に実装されたメモリブロック、ハードディスクまたはフロッピー（登録商標）ディスクなどの磁気媒体、および、ＤＶＤなどの光媒体およびそのデータ変形体、ＣＤなどの物理媒体に格納することができる。
【０２１４】
前述の説明は、例示的かつ非限定的な例として、本発明の例示的な実施形態の詳細な説明を提供するものである。  しかしながら、添付の図面および添付の特許請求の範囲と併せて読めば、上記の説明を考慮して、当業者には様々な修正および適応が明らかになるであろう。しかしながら、本発明の教示のそのような変更は、添付の特許請求の範囲に規定される本発明の趣旨および範囲内に含まれる。実際に、前述の他の実施形態の１つ以上の組み合わせを含むさらなる実施形態が存在する。
【図１】
2019516329.tif 000003
【図２】
2019516329.tif 000004
【図３】
2019516329.tif 000005
【図４】
2019516329.tif 000006
【図５】
2019516329.tif 000007
【図６】
2019516329.tif 000008
【図７】
2019516329.tif 000009
【図８】
2019516329.tif 000010
【図９】
2019516329.tif 000011
【図１０】
2019516329.tif 000012
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
複数のビーム・グループを決定するために、ユーザ機器において、１つ以上の測定を実行するステップであって、各ビーム・グループはユーザ機器の少なくとも1つの受信ビーム方向、および、アクセス・ポイントの少なくとも1つの送信ビーム方向に結び付いている、ステップと、
前記ビーム・グループに関する情報を前記アクセス・ポイントに送信させるステップと
を含む方法。
【請求項２】
前記グループのうちのどれが優先的に使用されるのかを示す選好情報を、前記アクセス・ポイントに提供させるステップを含む、請求項１に記載の方法。
【請求項３】
前記ユーザ機器は、一度に、ｐ−ｎグループを用いて受信すべきものであり、ここで、ｐは、グループの数であり、ｎはｐより小さいものであり、
前記グループのうちのどのｐ−ｎが使用されるべきかを示す情報を前記アクセス・ポイントに提供されるようにさせる、請求項１または２に記載の方法。
【請求項４】
前記グループのうちの全部ではないが、少なくとも１つを用いて、前記アクセス・ポイントから受信するステップと、
続いて、前記グループのうちの異なる１つ以上を用いて、前記アクセス・ポイントから受信するステップと
を含む、請求項１ないし３のいずれか１項に記載の方法。
【請求項５】
１つ以上のグループが定義された後に、現在のグループに対して、１つ以上のビームが異なるものであるならば、前記アクセス・ポイントに基準信号を送信するように要求する要求を、前記アクセス・ポイントに送信されるようにさせる、請求項１ないし４のいずれか１項に記載の方法。
【請求項６】
前記基準信号は、ビーム特定基準信号である、請求項５に記載の方法。
【請求項７】
それぞれのビーム方向のビーム特定基準信号に関して前記測定を実行するステップを含む、請求項１ないし６のいずれか１項に記載の方法。
【請求項８】
前記実行するステップは、ビーム品質測定を実行するステップを含む、請求項１ないし７のいずれか１項に記載の方法。
【請求項９】
１つ以上の送信されたビームから、それぞれのアイデンティティ情報を獲得するステップを含む請求項１ないし８のいずれか１項に記載の方法。
【請求項１０】
前記それぞれのアイデンティティ情報は、それぞれのビーム特定基準信号を含む、請求項９に記載の方法。
【請求項１１】
前記情報は、ビーム品質情報およびビーム・アイデンティティ情報のうちの１つ以上を含む、請求項９または１０に記載の方法。
【請求項１２】
前記少なくとも１つの送信ビームは、複数のスイープ・ブロックにおいて受信される、請求項１ないし１１のいずれか１項に記載の方法。
【請求項１３】
前記少なくとも１つの送信ビームは、複数のスイープ・ブロックにおいて受信され、前記アイデンティティ情報はスイープ・ブロック情報を含む、請求項９ないし１１のいずれか１項に記載の方法。
【請求項１４】
イベントに応じて、前記少なくとも１つのビーム・グループの前記情報を提供されるようにさせるステップを含む、請求項１ないし１３のいずれか１項に記載の方法。
【請求項１５】
前記アクセス・ポイントから要求を受信するステップと、
前記要求に応じて、前記情報を前記アクセス・ポイントに送信されるようにさせるステップと
を含む、請求項１ないし１４のいずれか１項に記載の方法。
【請求項１６】
前記複数のグループの前記情報は、別々に送信される、請求項１ないし１５のいずれか１項に記載の方法。
【請求項１７】
前記複数のグループの前記情報は、一緒に送信される、請求項１ないし１６のいずれか１項に記載の方法。
【請求項１８】
少なくとも１つのグループは、２つ以上の受信ビームを含む、請求項１ないし１７のいずれか１項に記載の方法。
【請求項１９】
少なくとも１つのグループは、２つ以上の送信ビームを含む、請求項１ないし１８のいずれか１項に記載の方法。
【請求項２０】
前記アクセス・ポイントの受信ビーム方向および前記ユーザ機器の送信ビーム方向のどれを使用するかを決定するために、前記複数のビーム・グループを使用するステップを含む、請求項１ないし１９のいずれか１項に記載の方法。
【請求項２１】
ユーザ機器からアクセス・ポイントで、複数のビーム・グループに関する情報を受信するステップであって、各ビーム・グループは前記ユーザ機器の少なくとも1つの受信ビーム方向、前記アクセス・ポイントの少なくとも1つの送信ビーム方向に結び付いているものである、ステップと、
前記ユーザ機器に送信するのに、どの送信ビームが使用されるべきかを制御するために前記ビーム・グループの情報を使用するステップと
を含む方法。
【請求項２２】
前記グループのうちのどれが優先的に使用されるのかを示す選好情報を含む、請求項２１に記載の方法。
【請求項２３】
１つ以上のビーム方向に対して基準信号の送信要求を受信するステップと、
それに応じて、前記１つ以上のビーム方向において前記基準信号の前記送信をさせるステップと
を含む、請求項２１または２２に記載の方法。
【請求項２４】
前記基準信号はビーム特定の基準信号である、請求項２３に記載の方法。
【請求項２５】
一度に、ｐ−ｎグループを用いて前記ユーザ機器に送信するステップを含み、
ｐは、グループの数であり、ｎはｐより小さいものであり、
前記選好情報は、前記グループのうちのどのｐ−ｎが使用されるべきかを示す、
請求項２２に記載の方法。
【請求項２６】
前記グループのうちの１つ以上と結びついた障害状態？を判断するステップと、
それに応じて、前記グループのうちの異なる１つ以上を使用するステップと
を含む、請求項２５に記載の方法。
【請求項２７】
複数のスイープ・ブロックにおける前記少なくとも１つの送信ビームを前記ユーザ機器に、送信するステップを含む、請求項２１ないし２６のいずれか１項に記載の方法。
【請求項２８】
要求を前記アクセス・ポイントから前記ユーザ機器に送信させ、前記要求に応じて、前記ユーザ機器から前記少なくとも１つのビーム・グループの前記情報を受信ステップを含む、請求項２１ないし２７のいずれか１項に記載の方法。
【請求項２９】
少なくとも１つのグループは、２つ以上の受信ビームを含む、請求項２１ないし２８のいずれか１項に記載の方法。
【請求項３０】
１つ以上のプロセッサで動作するとき、請求項１ないし２９のいずれか１項に記載の方法を実行するコンピュータ実行可能命令を備えるコンピュータ・プログラム。
【請求項３１】
少なくとも1つのプロセッサと、コンピュータ・プログラム・コードを含む少なくとも１つのメモリとを備える装置であって、
前記少なくとも1つのメモリと、前記コンピュータ・プログラム・コードとは、前記少なくとも1つのプロセッサで、前記装置に、少なくとも、
複数のビーム・グループを決定するために、ユーザ機器において、１つ以上の測定を実行させ、ここで、各ビーム・グループはユーザ機器の少なくとも1つの受信ビーム方向、および、アクセス・ポイントの少なくとも1つの送信ビーム方向に結び付いているものであり、
前記ビーム・グループに関する情報を前記アクセス・ポイントに送信させる
ように構成される、装置。
【請求項３２】
少なくとも1つのプロセッサと、コンピュータ・プログラム・コードを含む少なくとも１つのメモリとを備える装置であって、前記少なくとも1つのメモリと、前記コンピュータ・プログラム・コードとは、前記少なくとも1つのプロセッサで、前記装置に、少なくとも、
ユーザ機器からアクセス・ポイントで、複数のビーム・グループに関する情報を受信させ、ここで、各ビーム・グループは前記ユーザ機器の少なくとも1つの受信ビーム方向、および、前記アクセス・ポイントの少なくとも1つの送信ビーム方向に結び付いているものであり、
前記ユーザ機器に送信するのに、どの送信ビームが使用されるべきかを制御するために前記ビーム・グループの情報を使用させる
ように構成された装置。
【国際調査報告】
2019516329.tif 000013
2019516329.tif 000014